(57)【要約】  ダンパー開閉装置（１０）は、開閉蓋（１８）と、保持機構（２０）と、復帰機構（２４）と、を有する。保持機構（２０）は、電力供給が行われている期間に開閉蓋（１８）を保持して開口（１２）を開状態とし、電力供給が停止した際に開閉蓋（１８）の保持を開放して開口（１２）を閉状態とする。復帰機構（２４）は、電力供給が行われている期間に、開閉蓋（１８）が閉状態である場合に、開閉蓋（１８）を保持機構（２０）による保持の状態に復帰する。
2020184333.tif 000002
【特許請求の範囲】
【請求項１】
空調用の開口（１２）に設置されるダンパー開閉装置（１０）であって、
開閉蓋（１８）と、
電力供給が行われている期間に、前記開閉蓋（１８）を保持して前記開口（１２）を開状態とし、前記電力供給が停止した際に前記開閉蓋（１８）の保持を開放して前記開口（１２）を閉状態とする保持機構（２０）と、
電力供給が行われている期間に、前記開閉蓋（１８）が閉状態である場合に、前記開閉蓋（１８）を前記保持機構（２０）による前記保持の状態に復帰する復帰機構（２４）と、を有する、ダンパー開閉装置（１０）。
【請求項２】
請求項１記載のダンパー開閉装置（１０）において、
前記保持機構（２０）は、前記開閉蓋（１８）を電磁的に保持する電磁チャック（３０）を有する、ダンパー開閉装置（１０）。
【請求項３】
請求項１又は２記載のダンパー開閉装置（１０）において、
前記保持機構（２０）による前記開閉蓋（１８）の保持が開放された際の前記開閉蓋（１８）の動きは、前記開閉蓋（１８）の自重によるものである、ダンパー開閉装置（１０）。
【請求項４】
請求項１〜３のいずれか１項に記載のダンパー開閉装置（１０）において、
前記復帰機構（２４）は、
第１接点（７０ａ）及び第２接点（７０ｂ）と、
前記第１接点（７０ａ）及び前記第２接点（７０ｂ）のうち、少なくとも１つの接点のオン状態に基づいて回転駆動するモータ（４０）と、
前記モータ（４０）の回転駆動に伴って、初期位置から前記開閉蓋（１８）を開く方向に回転するアーム（４２）とを有し、
前記第１接点（７０ａ）は、前記開閉蓋（１８）の開状態に基づいてオフ状態とされ、
前記第２接点（７０ｂ）は、前記アーム（４２）の前記初期位置への復帰に基づいてオフ状態とされる、ダンパー開閉装置（１０）。
【請求項５】
請求項４記載のダンパー開閉装置（１０）において、
前記開閉蓋（１８）の開状態は、前記開閉蓋（１８）が前記保持機構（２０）によって保持された状態であり、
前記第２接点（７０ｂ）は、前記第１接点（７０ａ）がオフ状態となった後に、前記アーム（４２）の前記初期位置への復帰に基づいてオフ状態とされる、ダンパー開閉装置（１０）。
【請求項６】
請求項４又は５記載のダンパー開閉装置（１０）において、
前記モータ（４０）の駆動によって回転し、前記開閉蓋（１８）を開く方向に前記アーム（４２）を回転するクランクプレート（８０）と、
前記モータ（４０）の駆動によって前記クランクプレート（８０）と共に回転するカムプレート（５６）とを有し、
前記カムプレート（５６）は、前記アーム（４２）の前記初期位置への復帰に基づいて、前記第２接点（７０ｂ）をオフ状態にするカム面（５６ａ）を有する、ダンパー開閉装置（１０）。
【発明の詳細な説明】
【技術分野】
【０００１】
本発明は、ダンパー開閉装置に関し、例えばコンテナ等に設置された給気口、排気口等の開閉に用いて好適なダンパー開閉装置に関する。
【背景技術】
【０００２】
ダンパーの開閉を制御する装置として、例えば特開２００６−１８７５２４号公報に記載のダンパー開閉装置がある。【０００３】
このダンパー開閉装置は、蓄電手段に電荷を蓄積する充電回路及び蓄電手段に蓄積された電荷を放出する放電回路が形成された開閉回路部と、開閉回路部及び外部電源の接続状態に応じ、充電回路及び放電回路のいずれか一方に切替える継電器とを具備する。【０００４】
継電器は、開閉回路部及び外部電源が電気的に接続した通電状態にあるとき、充電回路に切替え、蓄電手段に電荷を蓄積する。また、継電器は、開閉回路部及び外部電源が電気的に切断されたときに、放電回路によって蓄電手段に蓄積された電荷を放出してソレノイドに供給し、ソレノイドのプランジャを駆動させ、ダンパー開閉機構部をプランジャに連動して、ダンパーを開放状態から閉成状態にする。
【発明の概要】
【０００５】
しかしながら、特開２００６−１８７５２４号公報記載のダンパー開閉装置は、外部電源から給電されている期間に、蓄電手段に電荷を蓄積する必要がある。そのため、電荷を蓄積するための充電回路、電荷を蓄積するための蓄電手段、停電時に、蓄電手段から電荷を放電するための放電回路が必要となる。
【０００６】
また、上述したダンパー開閉装置は、蓄電手段が１つの場合だと、当該蓄電手段が損傷を受けた場合に、ダンパーを閉成できなくなるため、複数の蓄電手段を並列に接続することで解決しているが、回路系が複雑になるおそれがある。
【０００７】
また、蓄電手段に蓄積された電荷の量が少ないと、ダンパーを閉成するだけのエネルギーを確保できず、ダンパーを閉成できないおそれがある。
【０００８】
本発明は、上記の課題を解決するためになされたものであり、外部電源からの給電が絶たれても、蓄電手段等を用いることなく、給気口等を閉じることができ、しかも、外部電源からの給電が再開された場合に、初期の開状態に復帰することができるダンパー開閉装置を提供することを目的とする。
【０００９】
本発明の一態様に係るダンパー開閉装置は、空調用の開口に設置されるダンパー開閉装置であって、開閉蓋と、電力供給が行われている期間に、前記開閉蓋を保持して前記開口を開状態とし、前記電力供給が停止した際に前記開閉蓋の保持を開放して前記開口を閉状態とする保持機構と、電力供給が行われている期間に、前記開閉蓋が閉状態である場合に、前記開閉蓋を前記保持機構による前記保持の状態に復帰する復帰機構と、を有する。
【００１０】
本発明に係るダンパー開閉装置によれば、外部電源からの給電が絶たれても、蓄電手段等を用いることなく、給気口等を閉じることができ、しかも、外部電源からの給電が再開された場合に、初期の開状態に復帰することができる。
【図面の簡単な説明】
【００１１】
【図１】本実施形態に係るダンパー開閉装置を上面から見て示す平面図である。
【図２】本実施形態に係るダンパー開閉装置を図１における矢印ＩＩの方向から見て示す側面図である。
【図３】本実施形態に係るダンパー開閉装置を図１における矢印ＩＩＩの方向から見て示す正面図である。
【図４】復帰機構と保持機構を上面から見て示す平面図である。
【図５】図５Ａはカムプレートとクランクプレートの組立体を正面から見て示す図であり、図５Ｂは図５ＡにおけるＶＢ−ＶＢ線上の断面図である。
【図６】回転制御部を含む回路系の一部を示す配線図である。
【図７】本実施形態に係るダンパー開閉装置の動作を示すタイムチャートである。
【発明を実施するための形態】
【００１２】
以下、本発明に係るダンパー開閉装置の実施形態例を図１〜図７を参照しながら説明する。
【００１３】
本実施形態に係るダンパー開閉装置１０は、図１〜図３に示すように、コンテナ等の床面に設置された例えば給気口等の開口１２に設置される。
【００１４】
このダンパー開閉装置１０は、床面のうち、開口１２を囲むように設置された枠部１４を有する基台１６と、基台１６に対して回転自在に設置され、開口１２を開閉する開閉蓋１８と、基台１６に固定された保持機構２０と、復帰機構２４とを有する。
【００１５】
基台１６は、上述した枠部１４のほか、枠部１４の１つの辺に隣接して設置された台座２６を一体に有する。
【００１６】
開閉蓋１８は、例えば金属板にて、開口１２を閉塞する大きさに形成される。図１の例では、開口１２の形状が上面から見て長方形状であることから、開口１２と同様に長方形状とされている。もちろん、開閉蓋１８の形状は、開口１２の形状に応じて、円形状、楕円形状、トラック形状、多角形状等が挙げられる。なお、トラック形状とは、対向する２つの半円部と、これら半円部を接続する２つの平行な直線部とから構成される形状である。また、開閉蓋１８の上部には、保持機構２０によって係止固定される被係止金具２７が設けられている。
【００１７】
保持機構２０は、外部電源等から電力供給が行われている期間に開閉蓋１８を保持して開口１２を開状態とし、電力供給が停止した際に開閉蓋１８の保持を開放する。
【００１８】
具体的には、図２及び図４に示すように、保持機構２０は、モーターベース２８と、モーターベース２８の先端部分に固定された電磁チャック３０と、を有する。モーターベース２８は、基台１６上に、上面から見てＬ字状に設置された２つの金属板（第１金属板３２Ａ及び第２金属板３２Ｂ：図４参照）を有する。第１金属板３２Ａ及び第２金属板３２Ｂは、共に板面が垂直方向に沿うように、すなわち、板面が水平方向に向くように設置される。第１金属板３２Ａは基台１６上に設置され、第２金属板３２Ｂは、基台１６から開閉蓋１８の上方にかけて設置される。但し、第２金属板３２Ｂは開閉蓋１８には固定されていない。また、第２金属板３２Ｂは、開閉蓋１８の開動作を妨げないように、下部の一部が切除されている。
【００１９】
そして、第２金属板３２Ｂの板面に、電磁チャック３０を取り付けるための断面コ字状の取付金具３４が取り付けられ、この取付金具３４の先端部分に電磁チャック３０が取り付けられている。また、取付金具３４には、保持金具３６が支軸３８によって回転自在に取り付けられている。この保持金具３６は、電磁チャック３０の吸着面と対向する被吸着部位３６ａと、該被吸着部位３６ａの先端に一体に設けられた例えば断面Ｌ字状の係止部位３６ｂとを有する。
【００２０】
そして、図２の二点鎖線で示すように、取付金具３４が電磁チャック３０で保持（吸着）された状態において、係止部位３６ｂに、開閉蓋１８の上部に設けられた被係止金具２７の一部が係止されることによって、開閉蓋１８が開状態に保持される。電力供給が停止して、電磁チャック３０による保持（吸着）が解除されると、開閉蓋１８の自重によって保持金具３６が支軸３８を中心に回転することから、開閉蓋１８の被係止金具２７が保持金具３６から外れる。その結果、開閉蓋１８は、蝶番２２を回転支点として回転（落下）し、開口１２を閉状態とする（図２の実線参照）。
【００２１】
蝶番２２は、基台１６の枠部１４のうち、台座２６が設けられた部分と開閉蓋１８の間に取り付けられている。これにより、先ず、保持機構２０によって、開閉蓋１８は、蝶番２２を回転支点として、斜め上方に向けた状態で保持される。保持機構２０による保持が開放されたときは、開閉蓋１８は自重によって下方に落下することになるが、このとき、蝶番２２を回転支点として下方に回転し、開口１２を閉鎖する。なお、図１の例では、開閉蓋１８のうち、枠部１４の台座２６が設けられた部分に隣接する長辺の左右両側にそれぞれ蝶番２２を取り付けた場合を示す。もちろん、蝶番２２の取付位置や個数は、開閉蓋１８の形状等に応じて適宜設定すればよい。
【００２２】
図２に示すように、復帰機構２４は、電力供給が再開すると、開閉蓋１８を持ち上げて、開閉蓋１８を保持機構２０による保持の状態に復帰させる。また、電力供給中に、万一、電磁チャック３０による保持が外れて開閉蓋１８が閉状態になった場合も、開閉蓋１８を持ち上げて、開閉蓋１８を保持機構２０による保持の状態に復帰させる。
【００２３】
具体的には、図１及び図３に示すように、復帰機構２４は、モータ４０と、モータ４０の回転に伴って開閉蓋１８を上方に回転するアーム４２と、モータ４０の回転駆動を制御する回転制御部４４（図６参照）と、モータ４０の回転力をアーム４２に伝達する伝達機構４６（図２、図５Ａ、図５Ｂ参照）とを有する。
【００２４】
また、図１に示すように、復帰機構２４は、開閉蓋１８の上面に設けられた把手４８と、把手４８に設けられたヒンジピン５０とを有する。把手４８は、蝶番２２が取り付けられた辺から対向する辺に向かって共に延びる例えば２つのＬ字状の金属板５２ａ及び５２ｂ（図３参照）が対向することにより構成されている。ヒンジピン５０は、２つの金属板５２ａ及び５２ｂの間に連結されている。
【００２５】
モータ４０は、台座２６上に設置されるが、モータ４０の出力軸５４（回転軸）をモーターベース２８の第２金属板３２Ｂ（図５Ｂ参照）に貫通させて設置される。
【００２６】
伝達機構４６は、図５Ａ及び図５Ｂに示すように、第２金属板３２Ｂを貫通したモータ４０の出力軸５４に取り付けられたカムプレート５６を有する。カムプレート５６は、円盤状の周面の一部が膨出して形成されたカム面５６ａを有する。
【００２７】
回転制御部４４は、図６に示すように、電源ライン６０と接地ライン６２の間に接続されたダンパー内部回路６４と、電源ライン６０とダンパー内部回路６４との間にそれぞれ接続された第１スイッチ６６Ａ及び第２スイッチ６６Ｂとを有する。第１スイッチ６６Ａは、例えばノーマリオープン型のメーク接点６８ａ（ａ接点）を有し、外部電源等からの電力供給が開始された際にオンとなる。これにより、電源ライン６０を通じてダンパー内部回路６４に電力が供給される。一方、第２スイッチ６６Ｂは、例えばノーマリクローズ型のブレイク接点６８ｂ（ｂ接点）を有し、通常は、外部電源等からの電力が電源ライン６０を通じてダンパー内部回路６４に供給される。
【００２８】
ダンパー内部回路６４は、例えば４つの接点（第１接点７０ａ〜第４接点７０ｄ）を有する。電源ライン６０と第１接点７０ａとの間に上記第１スイッチ６６Ａが接続され、電源ライン６０と第２接点７０ｂとの間に上記第２スイッチ６６Ｂが接続されている。第３接点７０ｃ及び第４接点７０ｄは接地ライン６２に接続されている。
【００２９】
また、ダンパー内部回路６４は、第１接点７０ａと第３接点７０ｃとの間に接続されたモータ４０と、第１接点７０ａとモータ４０との間に並列接続された第１リミットスイッチ７４Ａ及び第２リミットスイッチ７４Ｂと、第２接点７０ｂと第４接点７０ｄとの間に接続された電磁チャック３０とを有する。
【００３０】
第１リミットスイッチ７４Ａは、例えばノーマリクローズ型の第１ブレイク接点７８ａを有し、第２リミットスイッチ７４Ｂは、例えばノーマリクローズ型の第２ブレイク接点７８ｂを有する。従って、モータ４０は、図６からわかるように、第１ブレイク接点７８ａ及び第２ブレイク接点７８ｂのうち、少なくともいずれか一方がオン状態のときに回転駆動する。
【００３１】
また、図２に示すように、第１リミットスイッチ７４Ａは、例えば取付金具３４と開閉蓋１８の間に取り付けられる。好ましくは、第１リミットスイッチ７４Ａは、開閉蓋１８が開状態に向かう段階で、開閉蓋１８によって第１リミットスイッチ７４Ａの第１ブレイク接点７８ａがオフ状態となる位置に取り付けられる。もちろん、開閉蓋１８が全開状態となった段階で、第１リミットスイッチ７４Ａの第１ブレイク接点７８ａがオフ状態となる位置に取り付けてもよい。
【００３２】
第２リミットスイッチ７４Ｂは、例えばモーターベース２８の第２金属板３２Ｂのうち、アーム４２に対向する面であって、カムプレート５６の上方に取り付けられる。好ましくは、第２リミットスイッチ７４Ｂは、カムプレート５６のカム面５６ａによって、第２ブレイク接点７８ｂがオフ状態となる位置に取り付けられる。初期状態、すなわち、アーム４２が初期位置にある状態では、図２に示すように、クランクプレート８０のピン８０ａが上限位置にあって、カムプレート５６のカム面５６ａが第２リミットスイッチ７４Ｂの第２ブレイク接点７８ｂを押圧していることから、第２ブレイク接点７８ｂはオフ状態となっている。なお、上限位置とは、これ以上、上方に移動することができない位置を指す。
【００３３】
従って、モータ４０の回転によってカムプレート５６が回転すると、カム面５６ａが第２リミットスイッチ７４Ｂの第２ブレイク接点７８ｂを押圧している期間にわたって、第２ブレイク接点７８ｂはオフ状態になる。カム面５６ａが第２ブレイク接点７８ｂから離れると、第２ブレイク接点７８ｂはオン状態になる。
【００３４】
伝達機構４６は、図２、図５Ａ及び図５Ｂに示すように、カムプレート５６の外側であって、且つ、モータ４０の出力軸５４に取り付けられたクランクプレート８０を有する。クランクプレート８０は、カムプレート５６側とは反対の面であって、且つ、偏心した位置に外方に突出するピン８０ａが設けられている。
【００３５】
アーム４２は、図１及び図２に示すように、基台１６側から開閉蓋１８側に延びる長尺の断面Ｌ字状の金具で構成されている。このアーム４２は、図２に示すように、中央部分に設けられた回転軸８２と、基台１６側に設けられ、且つ、クランクプレート８０のピン８０ａが挿通される長孔８４とを有する。長孔８４は、その長軸がアーム４２の長手方向に沿うように形成されている。
【００３６】
モータ４０の回転駆動によって、クランクプレート８０が一方向（モータ４０の出力軸５４から見て反時計方向）に回転すると、クランクプレート８０のピン８０ａが回転しながらアーム４２の長孔８４に沿って摺動する。これにより、アーム４２は、回転軸８２を中心に反時計方向に回転し、開閉蓋１８側の先端部分４２ａ（図１参照）で把手４８のヒンジピン５０を引っ掛けて上方に持ち上げる。これにより、開閉蓋１８は蝶番２２を回転支点にして上方に回転し、電磁チャック３０によって開状態に保持される。
【００３７】
ここで、本実施形態に係るダンパー開閉装置１０の動作について、図７のタイムチャートも参照しながら説明する。
【００３８】
先ず、時点ｔ１において、外部電源等から電源ライン６０に電力供給が行われると、第１スイッチ６６ＡがＯＮとなって、モータ４０に電力が供給されると共に、第２スイッチ６６Ｂを介して電磁チャック３０に電力が供給される。例えば図２に示すように、モータ４０（図３参照）への電力供給によって、カムプレート５６及びクランクプレート８０が反時計方向に回転し、それに伴って、カムプレート５６のカム面５６ａが第２リミットスイッチ７４Ｂの第２ブレイク接点７８ｂから離間し、第２リミットスイッチ７４ＢがＯＮとなる（時点ｔ２）。また、アーム４２も回転軸８２を中心に反時計方向に回転して、開閉蓋１８を徐々に持ち上げる（図２の二点鎖線参照）。これにより、開閉蓋１８は、蝶番２２を回転支点にして上方に回転する。
【００３９】
そして、カムプレート５６及びクランクプレート８０の回転に伴って、クランクプレート８０のピン８０ａが例えば下限位置、あるいはその付近に到達し、開閉蓋１８が全開状態となった段階（例えば時点ｔ３）で、開閉蓋１８が電磁チャック３０で保持される。なお、下限位置とは、これ以上、下方に移動することができない位置を指す。また、このとき、第１リミットスイッチ７４Ａは、第１ブレイク接点７８ａが開閉蓋１８によって押圧されることからオフ状態となる。この段階では、第２リミットスイッチ７４Ｂを介してモータ４０に電力が供給されているため、カムプレート５６及びクランクプレート８０は反時計方向に回転し続ける。
【００４０】
その後、カムプレート５６及びクランクプレート８０の回転に伴って、カムプレート５６のカム面５６ａが第２リミットスイッチ７４Ｂの第２ブレイク接点７８ｂを押圧することによって、第２ブレイク接点７８ｂはオフ状態になり（時点ｔ４）、モータ４０への電力供給が停止される。このとき、カムプレート５６及びクランクプレート８０は、ピン８０ａが上限位置、あるいはその付近に到達して回転停止するため、アーム４２は初期状態（図２の実線参照）に戻ることとなる。
【００４１】
万一、開閉蓋１８に対する電磁チャック３０による保持が外れ、開閉蓋１８が自重で閉状態となった場合、第１リミットスイッチ７４Ａの第１ブレイク接点７８ａがオン状態となるため（時点ｔ５）、再びモータ４０の回転駆動が開始（再開）され、上述した時点ｔ２〜ｔ４での動作が繰り返されて、開閉蓋１８は開状態に復帰される。この復帰動作は、基本的に開閉蓋１８の常時開放（給気状態）を維持する必要があるため、開閉蓋１８の開放駆動を優先していることに基づく。
【００４２】
これに対して、非常時（燃焼ガス検知時等）では、電源ライン６０への給電を停止することで、開閉蓋１８を閉状態にしている。すなわち、例えば時点ｔ６において、燃焼ガス検知があった場合、外部電源等から電源ライン６０への電力供給を停止する。これによって、電磁チャック３０及びモータ４０への電力供給が停止され、開閉蓋１８は閉状態となる。
【００４３】
このように、本実施形態に係るダンパー開閉装置１０は、保持機構２０によって、開閉蓋１８を、蝶番２２を回転支点として、斜め上方に向けた状態で保持することで、開口１２を開状態にすることができる。万一、電磁チャック３０による保持が外れて開閉蓋１８が閉状態になった場合でも、復帰機構２４によって開閉蓋１８を駆動して、開閉蓋１８を保持機構２０による保持の状態に復帰させることができる。特に、保持機構２０によって、開閉蓋１８を開状態に保持したとき、アーム４２を初期位置に戻すようにしたので、復帰機構２４による開閉蓋１８の開状態への復帰をスムーズに行うことができる。
【００４４】
一方、非常時等において、保持機構２０に対する電力供給が停止すると、保持機構２０による保持が開放され、開閉蓋１８はその自重によって下方に落下することになる。このとき、蝶番２２を回転支点として下方に回転し、開口１２を閉鎖する。すなわち、開口１２を閉状態にすることができる。外部電源からの給電が絶たれても、蓄電手段等の電気的手段を用いることなく、開口１２を閉じることができ、消費電力（待機電力等）の低減を図ることができる。
【００４５】
外部電源からの給電が再開された場合は、再び保持機構２０によって、開閉蓋１８を、蝶番２２を回転支点として、斜め上方に向けた状態で保持することで、開口１２を開状態にすることができる。
【００４６】
また、本実施形態では、モータ４０の駆動によって回転し、開閉蓋１８を開く方向にアーム４２を回転するクランクプレート８０と、モータ４０の駆動によってクランクプレート８０と共に回転するカムプレート５６とを有する。カムプレート５６は、アーム４２の初期位置への復帰に基づいて、第２ブレイク接点７８ｂをオフ状態にするカム面５６ａを有する。
【００４７】
モータ４０によって、クランクプレート８０とカムプレート５６とを共に回転させることで、クランクプレート８０によって開閉蓋１８を開く方向にアーム４２を回転する動作と、アーム４２の初期位置への復帰に基づいてカムプレート５６のカム面５６ａで第２ブレイク接点７８ｂをオフ状態にする動作とを１つのモータ４０で行うことができ、構造の簡単化及び部品点数の削減を有効に図ることができる。
【００４８】
上記実施形態をまとめると以下のようになる。
［１］  ダンパー開閉装置１０は、空調用の開口１２に設置されるダンパー開閉装置であって、開閉蓋１８と、電力供給が行われている期間に、開閉蓋１８を保持して開口１２を開状態とし、電力供給が停止した際に開閉蓋１８の保持を開放して開口１２を閉状態とする保持機構２０と、電力供給が行われている期間に、開閉蓋１８が閉状態である場合に、開閉蓋１８を保持機構２０による保持の状態に復帰する復帰機構２４と、を有する。
【００４９】
これにより、先ず、電力供給が行われている期間では、保持機構２０は、開閉蓋１８を保持して開口１２を開状態とする。電力供給が停止すると、保持機構２０は、開閉蓋１８の保持を開放して、開口１２を閉状態とする。このように、外部電源からの給電が絶たれても、蓄電手段等の電気的手段を用いることなく、開口１２を閉じることができ、消費電力（待機電力等）の低減を図ることができる。そして、電力供給が行われている期間に、万一、保持機構２０による保持が外れて開閉蓋１８が閉状態となった場合であっても、復帰機構２４によって、開閉蓋１８を保持機構２０による保持の状態に復帰させることができる。
【００５０】
［２］  本実施形態において、保持機構２０は、開閉蓋１８を電磁的に保持する電磁チャック３０であってもよい。電力供給によって開閉蓋１８を開状態に保持することができる。
【００５１】
［３］  本実施形態において、保持機構２０による開閉蓋１８の保持が開放された際の開閉蓋１８の動きは、開閉蓋１８の自重による。これにより、外部電源からの給電が絶たれても、蓄電手段等を用いることなく、開閉蓋１８によって給気口等を閉じることができる。
【００５２】
［４］  本実施形態において、復帰機構２４は、第１接点７０ａ及び第２接点７０ｂと、第１接点７０ａ及び第２接点７０ｂのうち、少なくとも１つの接点のオン状態に基づいて回転駆動するモータ４０と、モータ４０の回転駆動に伴って、初期位置から開閉蓋１８を開く方向に回転するアーム４２とを有し、第１接点７０ａは、開閉蓋１８の開状態に基づいてオフ状態とされ、第２接点７０ｂは、アーム４２の初期位置への復帰に基づいてオフ状態とされる。これにより、保持機構２０によって、開閉蓋１８を開状態に保持したとき、アーム４２を初期位置に戻すようにしたので、復帰機構２４による開閉蓋１８の開状態への復帰をスムーズに行うことができる。
【００５３】
［５］  本実施形態において、開閉蓋１８の開状態は、開閉蓋１８が保持機構２０によって保持された状態であり、第２接点７０ｂは、第１接点７０ａがオフ状態となった後に、アーム４２の初期位置への復帰に基づいてオフ状態とされる。
【００５４】
［６］  本実施形態において、モータ４０の駆動によって回転し、開閉蓋１８を開く方向にアーム４２を回転するクランクプレート８０と、モータ４０の駆動によってクランクプレート８０と共に回転するカムプレート５６とを有し、カムプレート５６は、アーム４２の初期位置への復帰に基づいて、第２接点７０ｂをオフ状態にするカム面５６ａを有する。
【００５５】
モータ４０によって、クランクプレート８０とカムプレート５６とを共に回転させる。これにより、クランクプレート８０によって開閉蓋１８を開く方向にアーム４２を回転する動作と、アーム４２の初期位置への復帰に基づいてカムプレート５６のカム面５６ａで第２接点７０ｂをオフ状態にする動作とを１つのモータで行うことができ、構造の簡単化及び部品点数の削減を有効に図ることができる。
【００５６】
なお、本発明に係るダンパー開閉装置は、上述の実施形態に限らず、本発明の要旨を逸脱することなく、種々の構成を採り得ることはもちろんである。
【図１】
2020184333.tif 000003
【図２】
2020184333.tif 000004
【図３】
2020184333.tif 000005
【図４】
2020184333.tif 000006
【図５】
2020184333.tif 000007
【図６】
2020184333.tif 000008
【図７】
2020184333.tif 000009
【国際調査報告】
2020184333.tif 000010
2020184333.tif 000011
2020184333.tif 000012
2020184333.tif 000013